(57)【要約】【課題】停電時にトランスを介して流通させた電力を下流側（負荷側）のユニットの蓄電装置が充電してしまうのを防止することができる電力供給システムを提供する。【解決手段】負荷２へと供給される電力の供給元を、商用電源３又は第一のユニット３０に切り替える第一の切替盤５０と、立運転時に第一のユニット３０から分電盤１０に供給された電力の電圧を昇圧するトランス４０と、商用電源３の停電を検知可能な第一のパワコン３３と、第一の切替盤５０と第二・第三・第四のユニット８０・９０・１００との間の電力の流通を許可する閉状態と電力の流通を禁止する開状態とを切り替える第三・第四のスイッチ６０・７０と、第一のパワコン３３により停電が検知されると共に、所定の条件を満たした場合に、第三・第四のスイッチ６０・７０を開状態に切り替える第一のパワコン３３と、を具備する。【選択図】図７
2020074682.tif 000002
【特許請求の範囲】
【請求項１】
商用電源からの電力を負荷へ供給可能な分電盤と、
自然エネルギーを利用して発電可能な第一の発電装置、前記第一の発電装置及び前記商用電源からの電力を充放電可能な第一の蓄電装置、及び前記第一の蓄電装置の充放電を制御する第一のパワーコンディショナーを含み、前記商用電源と連系して前記分電盤へ電力を供給する連系運転と、前記商用電源から独立して前記分電盤へ電力を供給する自立運転と、を行うことができる第一のユニットと、
前記負荷へと供給される電力の供給元を、前記商用電源又は前記第一のユニットに切り替える第一の切替盤と、
前記自立運転時に前記第一のユニットから前記分電盤に供給された電力の電圧を昇圧するトランスと、
前記商用電源からの電力を充放電可能な第二の蓄電装置、及び前記第二の蓄電装置の充放電を制御する第二のパワーコンディショナーを含み、前記第一の切替盤よりも前記負荷側に配置されて前記分電盤へ電力を供給する第二のユニットと、
前記商用電源の停電を検知可能な停電検知部と、
前記第一の切替盤と前記第二のユニットとの間に配置され、前記第一の切替盤と前記第二のユニットとの間の電力の流通を許可する閉状態と、前記第一の切替盤と前記第二のユニットとの間の電力の流通を禁止する開状態とを切り替える第一の開閉部と、
前記停電検知部により停電が検知された場合、所定の条件に基づいて、前記第一の開閉部を開状態に切り替え、その後、閉状態に切り替え可能な制御部と、
を具備する、
電力供給システム。
【請求項２】
前記第二のユニットの前記第二の蓄電装置は、所定の充電期間内に充電を行い得るように設定され、
前記制御部は、
前記停電検知部により停電が検知された場合、
前記第一のユニットが自立運転を行っていない場合、又は、前記所定の充電期間内である場合に、前記第一の開閉部を開状態に切り替える、
請求項１に記載の電力供給システム。
【請求項３】
前記第二のユニットの前記第二の蓄電装置は、所定の充電期間内に充電を行い得るように設定され、
制御部は、
前記停電検知部により停電が検知された場合、
前記第一のユニットが自立運転を行っている場合、かつ、前記所定の充電期間内ではない場合に、前記第一の開閉部を閉状態に切り替える、
請求項１又は請求項２に記載の電力供給システム。
【請求項４】
前記第二のユニットの前記第二の蓄電装置は、所定の充電期間内に充電を行い得るように設定され、
前記第一の開閉部は、第二の開閉部と第三の開閉部とを有し、
前記制御部は、
前記停電検知部により停電が検知された場合に、
前記第二の開閉部を、前記第一のユニットが自立運転を行っていない場合に開状態、前記第一のユニットが自立運転を行っている場合に閉状態に切り替え、
前記第三の開閉部を、前記所定の充電期間内である場合に開状態、前記所定の充電期間内ではない場合に閉状態に切り替える、
請求項１に記載の電力供給システム。
【発明の詳細な説明】
【技術分野】
【０００１】
本発明は、蓄電装置を含む複数のユニットと蓄電装置からの電力の電圧を昇圧可能なトランスとを具備する電力供給システムの技術に関する。
【背景技術】
【０００２】
従来、蓄電装置を含む複数のユニットと蓄電装置からの電力の電圧を昇圧可能なトランスとを具備する電力供給システムの技術は公知となっている。例えば、特許文献１に記載の如くである。
【０００３】
特許文献１に記載の電力供給システム（太陽光発電システム）は、太陽光発電設備と蓄電装置とトランス（配電変圧器）とを有する複数のユニットを具備する。太陽光発電設備及び蓄電装置は、トランスを介して配電線の中途部と接続される。配電線は、電力系統と負荷とを接続する。このような電力供給システムにおいては、停電時に太陽光発電設備及び蓄電装置からの電力をトランスを介して配電線へ流通させることで、停電時に負荷へ電力を供給することができる。
【先行技術文献】
【特許文献】
【０００４】
【特許文献１】特開２０１２−１０５３６号公報
【発明の概要】
【発明が解決しようとする課題】
【０００５】
しかし、停電時にトランスを介して配電線へ電力を流通させると、当該電力を下流側（負荷側）のユニットの蓄電装置が充電してしまう可能性がある。このような場合、例えばシステムがダウンする等の不都合が生じる。
【０００６】
本発明は、以上の如き状況を鑑みてなされたものであり、その解決しようとする課題は停電時にトランスを介して流通させた電力を下流側（負荷側）のユニットの蓄電装置が充電してしまうのを防止することができる電力供給システムを提供するものである。
【課題を解決するための手段】
【０００７】
本発明の解決しようとする課題は以上の如くであり、次にこの課題を解決するための手段を説明する。
【０００８】
即ち、商用電源からの電力を負荷へ供給可能な分電盤と、自然エネルギーを利用して発電可能な第一の発電装置、前記第一の発電装置及び前記商用電源からの電力を充放電可能な第一の蓄電装置、及び前記第一の蓄電装置の充放電を制御する第一のパワーコンディショナーを含み、前記商用電源と連系して前記分電盤へ電力を供給する連系運転と、前記商用電源から独立して前記分電盤へ電力を供給する自立運転と、を行うことができる第一のユニットと、前記負荷へと供給される電力の供給元を、前記商用電源又は前記第一のユニットに切り替える第一の切替盤と、前記自立運転時に前記第一のユニットから前記分電盤に供給された電力の電圧を昇圧するトランスと、前記商用電源からの電力を充放電可能な第二の蓄電装置、及び前記第二の蓄電装置の充放電を制御する第二のパワーコンディショナーを含み、前記第一の切替盤よりも前記負荷側に配置されて前記分電盤へ電力を供給する第二のユニットと、前記商用電源の停電を検知可能な停電検知部と、前記第一の切替盤と前記第二のユニットとの間に配置され、前記第一の切替盤と前記第二のユニットとの間の電力の流通を許可する閉状態と、前記第一の切替盤と前記第二のユニットとの間の電力の流通を禁止する開状態とを切り替える第一の開閉部と、前記停電検知部により停電が検知された場合、所定の条件に基づいて、前記第一の開閉部を開状態に切り替え、その後、閉状態に切り替え可能な制御部と、を具備するものである。
【０００９】
前記第二のユニットの前記第二の蓄電装置は、所定の充電期間内に充電を行い得るように設定され、前記制御部は、前記停電検知部により停電が検知された場合、前記第一のユニットが自立運転を行っていない場合、又は、前記所定の充電期間内である場合に、前記第一の開閉部を開状態に切り替えることとしてもよい。
【００１０】
前記第二のユニットの前記第二の蓄電装置は、所定の充電期間内に充電を行い得るように設定され、制御部は、前記停電検知部により停電が検知された場合、前記第一のユニットが自立運転を行っている場合、かつ、前記所定の充電期間内ではない場合に、前記第一の開閉部を閉状態に切り替えることとしてもよい。
【００１１】
前記第二のユニットの前記第二の蓄電装置は、所定の充電期間内に充電を行い得るように設定され、前記第一の開閉部は、第二の開閉部と第三の開閉部とを有し、前記制御部は、前記停電検知部により停電が検知された場合に、前記第二の開閉部を、前記第一のユニットが自立運転を行っていない場合に開状態、前記第一のユニットが自立運転を行っている場合に閉状態に切り替え、前記第三の開閉部を、前記所定の充電期間内である場合に開状態、前記所定の充電期間内ではない場合に閉状態に切り替えることとしてもよい。
【発明の効果】
【００１２】
本発明の効果として、以下に示すような効果を奏する。
【００１３】
停電時にトランスを介して流通させた電力を下流側（負荷側）のユニットの蓄電装置が充電してしまうのを防止することができる。
【図面の簡単な説明】
【００１４】
【図１】第一実施形態に係る電力供給システムの構成を示したブロック図。
【図２】同じく、各ユニットと他の機器との電気的な接続の構成を示したブロック図。
【図３】同じく、停電時において第一のユニットが自立運転を開始する前の電力の供給態様を示したブロック図。
【図４】同じく、停電時において第一のユニットが自立運転を開始した直後の電力の供給態様を示したブロック図。
【図５】同じく、停電時において第一のユニットが自立運転を開始して所定の期間経過後の電力の供給態様を示したブロック図。
【図６】同じく、停電時において第一のユニットの自立運転による出力が停止した後の電力の供給態様を示したブロック図。
【図７】同じく、所定の充電時間帯に停電が発生した場合の電力の供給態様を示したブロック図。
【図８】第二実施形態に係る電力供給システムのうち、第二の切替盤及び負荷の構成を示したブロック図。
【図９】（ａ）同じく、通常時の電力の供給態様を示したブロック図。（ｂ）同じく、停電の発生後に所定の期間が経過していない場合の電力の供給態様を示したブロック図。（ｃ）同じく、停電の発生後に所定の期間が経過した場合の電力の供給態様を示したブロック図。
【図１０】第三実施形態に係る電力供給システムの構成を示したブロック図。
【図１１】同じく、第二・第三・第四のユニットの太陽光発電装置と切替盤との構成を示したブロック図。
【図１２】（ａ）同じく、通常時の電力の供給態様を示したブロック図。（ｂ）同じく、停電時において自立運転時の第一のユニットからの電力が出力されている場合の電力の供給態様を示したブロック図。
【図１３】第四実施形態に係る電力供給システムの構成を示したブロック図。
【図１４】同じく、通常時の電力の供給態様を示したブロック図。
【図１５】同じく、停電時の電力の供給態様を示したブロック図。
【図１６】同じく、停電時において第一のユニットの自立運転による出力が停止した後の電力の供給態様を示したブロック図。
【図１７】同じく、停電時において擬似連系運転による第二・第三・第四のユニットからの電力が逆潮流した場合の電力の供給態様を示したブロック図。
【発明を実施するための形態】
【００１５】
以下では、図１及び図２を用いて、本発明の第一実施形態に係る電力供給システム１について説明する。
【００１６】
図１に示す電力供給システム１は、工場に設けられ、工場の負荷２へ電力を供給するものである。電力供給システム１は、分電盤１０、センサ部２０、第一のユニット３０、トランス４０、第一の切替盤５０（第一のスイッチ５１及び第二のスイッチ５２）、第三のスイッチ６０、第四のスイッチ７０、第二のユニット８０、第三のユニット９０、第四のユニット１００及び第二の切替盤１１０等を具備する。
【００１７】
図１に示す分電盤１０は、電力の供給元から供給された電力を負荷２に分配するものである。分電盤１０には、電力の供給元（商用電源３や後述する第一のユニット３０等）から、負荷２の消費電力に応じた電力が供給される。分電盤１０は、商用電源３と負荷２とを接続する配電線Ｌ１の中途部に配置される。なお、負荷２には、負荷１２１、負荷１２２及び負荷１２３が含まれる。負荷１２１、負荷１２２及び負荷１２３は、配電線Ｌ１の下流側の端部に接続される。より詳細には、配電線Ｌ１の下流側の端部が分岐され、負荷１２１、負荷１２２及び負荷１２３がそれぞれ分岐された端部に接続される。
【００１８】
図１及び図２に示すセンサ部２０は、分電盤１０内において、配電線Ｌ１を流通する電力を検出するものである。センサ部２０は、第一のセンサ２１、第二のセンサ２２、第三のセンサ２３及び第四のセンサ２４等を具備する。
【００１９】
各センサ２１から２４は、それぞれ配置箇所の電力を検出するものである。各センサ２１から２４は、それぞれ配電線Ｌ１の中途部（分電盤１０内）に配置される。各センサ２１から２４は、分電盤１０内において、商用電源３側から負荷２側（下流側）へ向けて、第一のセンサ２１・第二のセンサ２２・第三のセンサ２３・第四のセンサ２４の順番に配置される。各センサ２１から２４は、それぞれ検出結果に関する信号を出力可能に構成される。
【００２０】
図１及び図２に示す第一のユニット３０は、負荷２への電力の供給元の一つである。第一のユニット３０は、第一の太陽光発電装置３１、第一の蓄電装置３２及び第一のパワコン３３等を具備する。
【００２１】
第一の太陽光発電装置３１は、太陽光を利用して発電する装置である。第一の太陽光発電装置３１は、太陽電池パネル等を具備する。
【００２２】
第一の蓄電装置３２は、電力を充放電可能な装置である。第一の蓄電装置３２は、電力を充放電可能な蓄電池や、供給されてくる交流電力を整流して前記蓄電池に充電させる充電器等を具備する。第一の蓄電装置３２は、第一の太陽光発電装置３１や商用電源３からの電力を充放電可能に構成される。
【００２３】
第一のパワコン３３は、電力の入出力を制御するハイブリッドパワーコンディショナーである。第一のパワコン３３は、直流電力を所定の電圧に変換するコンバーターや、直流電力を交流電力に変換するインバーター、動作を制御する制御部等を具備する。第一のパワコン３３は、異なる二つの配電線を介して第一の太陽光発電装置３１及び第一の蓄電装置３２とそれぞれ接続される。第一のパワコン３３は、連系運転及び自立運転を行うことができる。
【００２４】
第一のパワコン３３の連系運転とは、通常時（非停電時）に商用電源３と連系して運転を行うことである。こうして、第一のパワコン３３は、通常時に商用電源３と連系した状態で、第一の太陽光発電装置３１で発電された電力や第一の蓄電装置３２から放電された電力を出力したり、第一の太陽光発電装置３１で発電された電力や商用電源３からの電力を第一の蓄電装置３２へ入力（充電）したりすることができる。
【００２５】
第一のパワコン３３の自立運転とは、停電時に商用電源３から独立して運転を行うことである。こうして、第一のパワコン３３は、非常時に商用電源３から独立した状態で、第一の太陽光発電装置３１で発電された電力や第一の蓄電装置３２から放電された電力を出力したり、第一の太陽光発電装置３１で発電された電力を第一の蓄電装置３２へ入力（充電）したりすることができる。また、第一のパワコン３３は、自立運転を行っている場合、第一の太陽光発電装置３１で発電された電力の出力及び入力（充電）を同時に行うことができる。
【００２６】
また、図２に示すように、第一のパワコン３３は、第一のセンサ２１と電気的に接続される。第一のパワコン３３は、第一のセンサ２１から出力された信号が入力され、入力された信号に基づいて第一のセンサ２１の検出結果を取得可能に構成される。第一のパワコン３３は、取得した第一のセンサ２１の検出結果に基づいて、出力する電力量を調整する負荷追従運転を行うことができる。また、第一のパワコン３３は、取得した第一のセンサ２１の検出結果に基づいて、停電の発生に関する情報を取得することができる。
【００２７】
また、図２に示すように、第一のパワコン３３は、後述する第一の切替盤５０、第三のスイッチ６０及び第四のスイッチ７０と電気的に接続される。第一のパワコン３３は、自身の運転状況や、取得した停電の発生に関する情報に基づいて、第一の切替盤５０、第三のスイッチ６０及び第四のスイッチ７０をそれぞれ制御することができる。
【００２８】
このように構成された第一のユニット３０は、配電線Ｌ２及び配電線Ｌ３を介して分電盤１０と接続される。
【００２９】
より詳細には、第一のユニット３０において、第一のパワコン３３が、配電線Ｌ２を介して分電盤１０内の配電線Ｌ１（第一のセンサ２１と後述する第一の切替盤５０との間）と接続される。こうして、第一のパワコン３３が、配電線Ｌ２・Ｌ１を介して商用電源３や、負荷２と接続される。なお、配電線Ｌ２は、通常時（すなわち、第一のパワコン３３の連系運転時）に使用される配電線である。
【００３０】
また、第一のユニット３０において、第一のパワコン３３が、配電線Ｌ３を介して後述する第一の切替盤５０（配電線Ｌ１の中途部）と接続される。こうして、第一のパワコン３３が、配電線Ｌ３・Ｌ１を介して、負荷２と接続される。なお、配電線Ｌ３は、停電時（すなわち、第一のパワコン３３の自立運転時）に使用される配電線である。
【００３１】
なお、配電線Ｌ３には、分電盤１０内に第一のブレーカ１１が設けられる。第一のブレーカ１１は、規定値を超える電力（電流）が流通した場合に、当該流通を禁止する（回路を遮断する）ものである。
【００３２】
図１に示すトランス４０は、電力を昇圧するものである。トランス４０は、配電線Ｌ３の中途部に設けられる。これによって、自立運転時に第一のユニット３０から出力された電力を例えば１００Ｖから２００Ｖに昇圧し、負荷２で消費することができる。
【００３３】
図１及び図２に示す第一の切替盤５０は、当該第一の切替盤５０を介して負荷２側へと流れる電力の供給元を、適宜切り替えるものである。第一の切替盤５０は、配電線Ｌ１の中途部（配電線Ｌ１・Ｌ２の接続部と後述する第三のスイッチ６０との間）に設けられる。第一の切替盤５０は、第一のスイッチ５１及び第二のスイッチ５２等を具備する。
【００３４】
第一のスイッチ５１及び第二のスイッチ５２は、それぞれ配置箇所の電力の流通をオン・オフ（許可又は禁止）するものである。第一のスイッチ５１は、第一の切替盤５０内の配電線Ｌ３に配置される。また、第二のスイッチ５２は、第一の切替盤５０内の配電線Ｌ１（より詳細には、配電線Ｌ１・Ｌ３の接続部より商用電源３側）に配置される。
【００３５】
第一のスイッチ５１及び第二のスイッチ５２のオン・オフは、互いに排他的な関係となるように設定される。具体的には、第一のスイッチ５１がオンとなると、第二のスイッチ５２がオフとなる。また、第一のスイッチ５１がオフとなると、第二のスイッチ５２がオンとなる。
【００３６】
こうして、第一の切替盤５０は、第一のスイッチ５１及び第二のスイッチ５２のオン・オフによって、配電線Ｌ１の第一の切替盤５０よりも下流側を、当該配電線Ｌ１の第一の切替盤５０よりも上流側、又は配電線Ｌ３の何れか一方と接続する。
【００３７】
具体的には、通常時において、第一の切替盤５０は、第一のスイッチ５１がオフ・第二のスイッチ５２がオンとなることにより、配電線Ｌ１の第一の切替盤５０よりも上流側と下流側とを接続する。このように、配電線Ｌ１の第一の切替盤５０よりも上流側と下流側とが接続されると、負荷２が配電線Ｌ１を介して商用電源３と接続されると共に、配電線Ｌ１・Ｌ２を介して第一のユニット３０と接続される。これにより、第一の切替盤５０は、当該第一の切替盤５０を介して負荷２側へと流れる電力の供給元を、商用電源３や第一のユニット３０（より詳細には、連系運転時の第一のユニット３０）に切り替えることができる。
【００３８】
また、停電時において、第一の切替盤５０は、第一のスイッチ５１がオン・第二のスイッチ５２がオフとなることにより、配電線Ｌ１の第一の切替盤５０よりも下流側と配電線Ｌ３とを接続する。このように、配電線Ｌ１の第一の切替盤５０よりも下流側と配電線Ｌ３とが接続されると、負荷２が配電線Ｌ１・Ｌ３を介して第一のユニット３０と接続される。これにより、第一の切替盤５０は、当該第一の切替盤５０を介して負荷２側へと流れる電力の供給元を、第一のユニット３０（より詳細には、自立運転時の第一のユニット３０）に切り替えることができる。
【００３９】
なお、第一の切替盤５０の切り替え制御（第一のスイッチ５１及び第二のスイッチ５２のオン・オフ制御）は、第一のユニット３０の第一のパワコン３３により行われる。
【００４０】
図１及び図２に示す第三のスイッチ６０は、配置箇所の電力の流通をオン・オフ（許可又は禁止）するものである。第三のスイッチ６０は、分電盤１０内の配電線Ｌ１において第一の切替盤５０と後述する第四のスイッチ７０との間に配置される。第三のスイッチ６０は、所定のオン条件を満たす場合にオンとなり、配置箇所の電力の流通を許可する。また、第三のスイッチ６０は、所定のオフ条件を満たす場合にオフとなり、配置箇所の電力の流通を禁止する。
【００４１】
第三のスイッチ６０のオン条件とは、通常時であること、又は、停電時に自立運転による第一のパワコン３３からの電力（第一のユニット３０からの電力）が出力されていること、の何れかである。また、第三のスイッチ６０のオフ条件とは、停電時に自立運転による第一のパワコン３３からの電力（第一のユニット３０からの電力）が出力されていないこと、である。なお、通常時にオンである第三のスイッチ６０は、停電が発生すると一旦オフとなって、自立運転による第一のパワコン３３からの電力の出力が開始されるとオンとなる。また、本実施形態において、第三のスイッチ６０は、自立運転による第一のパワコン３３からの電力の出力が開始されてオンとなった場合、何らかの原因で一旦オフとなると、その後オン条件を満たしたと判断された場合であっても、停電が解消するまでは再びオンとなることがないように制御される。なお、第三のスイッチ６０のオン・オフ制御（第三のスイッチ６０がオン条件又はオフ条件を満たしたか否かの判断）は、図２に示すように、第一のユニット３０の第一のパワコン３３により行われる。
【００４２】
図１及び図２に示す第四のスイッチ７０は、配置箇所の電力の流通をオン・オフ（許可又は禁止）するものである。第四のスイッチ７０は、分電盤１０内の配電線Ｌ１において第三のスイッチ６０と第二のセンサ２２との間に配置される。第四のスイッチ７０は、所定のオン条件を満たす場合にオンとなり、配置箇所の電力の流通を許可する。また、第四のスイッチ７０は、所定のオフ条件を満たす場合にオフとなり、配置箇所の電力の流通を禁止する。
【００４３】
第四のスイッチ７０のオン条件とは、通常時であること、又は、停電時であって且つ所定の充電時間帯ではないこと、の何れかである。また、第四のスイッチ７０のオフ条件とは、停電時であって且つ所定の充電時間帯であること、である。なお、第四のスイッチ７０のオン・オフ制御（第四のスイッチ７０がオン条件又はオフ条件を満たしたか否かの判断）は、図２に示すように、第一のユニット３０の第一のパワコン３３により行われる。なお、所定の充電時間帯とは、後述するように、例えば２３時から７時までの時間帯である。
【００４４】
図１及び図２に示す第二のユニット８０は、負荷２への電力の供給元の一つである。第二のユニット８０は、第二の蓄電装置８２及び第二のパワコン８３等を具備する。
【００４５】
なお、第二の蓄電装置８２及び第二のパワコン８３の構成（具体的には、それぞれの自身の構成や、互いの関係に関する構成）は、第一の蓄電装置３２及び第一のパワコン３３の構成と略同様であるため、特に異なる点を中心として説明を行う。
【００４６】
第二のパワコン８３は、所定の配電線を介して第二の蓄電装置８２と接続される。第二のパワコン８３は、第二のセンサ２２と電気的に接続される。第二のパワコン８３は、第二のセンサ２２から出力された信号が入力され、入力された信号に基づいて第二のセンサ２２の検出結果を取得可能に構成される。第二のパワコン８３は、取得した第二のセンサ２２の検出結果に基づいて、出力する電力量を調整する負荷追従運転を行うことができる。また、第二のパワコン８３は、取得した第二のセンサ２２の検出結果に基づいて、停電の発生に関する情報を取得することができる。第二のパワコン８３は、連系運転及び自立運転を行うことができる。
【００４７】
なお、第二のパワコン８３の連系運転には、通常時に商用電源３と連系した状態で行われる通常連系運転と、停電時に商用電源３と擬似的に連系した状態で行われる擬似連系運転と、が含まれる。本実施形態において、商用電源３と擬似的に連系した状態とは、第一のユニット３０から出力された電力を商用電源３からの電力と見立てて、実際は商用電源３ではなく当該第一のユニット３０と連系して運転を行うことである。
【００４８】
こうして、第二のパワコン８３は、通常連系運転を行うことによって、通常時に商用電源３と連系した状態で、後述する配電線Ｌ４を介して第二の蓄電装置８２から放電された電力を出力したり、商用電源３や第一のユニット３０からの電力を第二の蓄電装置８２へ入力（充電）したりすることができる。
【００４９】
また、第二のパワコン８３は、擬似連系運転を行うことによって、非常時に商用電源３と擬似的に連系した状態で、配電線Ｌ４を介して第二の蓄電装置８２から放電された電力を出力したり、第一のユニット３０からの電力を第二の蓄電装置８２へ入力（充電）したりすることができる。
【００５０】
また、第二のパワコン８３は、自立運転を行うことによって、非常時に商用電源３から独立した状態で、後述する配電線Ｌ７を介して第二の蓄電装置８２から放電された電力を出力することができる。
【００５１】
このように構成された第二のユニット８０は、配電線Ｌ４を介して分電盤１０と接続される。
【００５２】
より詳細には、第二のユニット８０において、第二のパワコン８３が、配電線Ｌ４を介して分電盤１０内の配電線Ｌ１（第二のセンサ２２と第三のセンサ２３との間）と接続される。こうして、第二のパワコン８３が、配電線Ｌ４・Ｌ１を介して商用電源３や、負荷２と接続される。また、第二のパワコン８３が、配電線Ｌ４・Ｌ１・Ｌ２（又は、配電線Ｌ４・Ｌ１・Ｌ３）を介して第一のユニット３０と接続される。これにより、第二のパワコン８３は、後述する所定の充電時間帯になると商用電源３からの電力を第二の蓄電装置８２に充電させることができる。なお、配電線Ｌ４は、第二のパワコン８３の連系運転（通常連系運転及び擬似連系運転）時に使用される配電線である。また、配電線Ｌ４には、第二のブレーカ１２が設けられる。第二のブレーカ１２は、規定値を超える電力（電流）が流通した場合に、当該流通を禁止する（回路を遮断する）ものである。
【００５３】
また、第二のユニット８０は、配電線Ｌ７を介して分電盤１０外の後述する第二の切替盤１１０（より詳細には、配電線Ｌ１の中途部に接続された第二の切替盤１１１）と接続される。第二の切替盤１１１は、負荷２のうち負荷１２１と接続される。こうして、第二のユニット８０において、第二のパワコン８３が、配電線Ｌ７を介して、負荷２のうち負荷１２１と接続される。なお、配電線Ｌ７は、第二のパワコン８３の自立運転時に使用される配電線である。
【００５４】
図１及び図２に示す第三のユニット９０は、負荷２への電力の供給元の一つである。第三のユニット９０は、第三の蓄電装置９２及び第三のパワコン９３等を具備する。
【００５５】
なお、第三の蓄電装置９２及び第三のパワコン９３の構成（具体的には、それぞれの自身の構成や、互いの関係に関する構成）は、第一の蓄電装置３２及び第一のパワコン３３の構成と略同様であるため、特に異なる点を中心として説明を行う。
【００５６】
第三のパワコン９３は、所定の配電線を介して第三の蓄電装置９２と接続される。第三のパワコン９３は、第三のセンサ２３と電気的に接続される。第三のパワコン９３は、第三のセンサ２３から出力された信号が入力され、入力された信号に基づいて第三のセンサ２３の検出結果を取得可能に構成される。第三のパワコン９３は、取得した第三のセンサ２３の検出結果に基づいて、出力する電力量を調整する負荷追従運転を行うことができる。また、第三のパワコン９３は、取得した第三のセンサ２３の検出結果に基づいて、停電の発生に関する情報を取得することができる。第三のパワコン９３は、連系運転及び自立運転を行うことができる。
【００５７】
なお、第三のパワコン９３の連系運転には、通常時に商用電源３と連系した状態で行われる通常連系運転と、停電時に商用電源３と擬似的に連系した状態で行われる擬似連系運転と、が含まれる。
【００５８】
こうして、第三のパワコン９３は、通常連系運転を行うことによって、通常時に商用電源３と連系した状態で、後述する配電線Ｌ５を介して第三の蓄電装置９２から放電された電力を出力したり、商用電源３や第一のユニット３０からの電力を第三の蓄電装置９２へ入力（充電）したりすることができる。
【００５９】
また、第三のパワコン９３は、擬似連系運転を行うことによって、非常時に商用電源３と擬似的に連系した状態で、配電線Ｌ５を介して第三の蓄電装置９２から放電された電力を出力したり、第一のユニット３０からの電力を第三の蓄電装置９２へ入力（充電）したりすることができる。
【００６０】
また、第三のパワコン９３は、自立運転を行うことによって、非常時に商用電源３から独立した状態で、後述する配電線Ｌ８を介して第三の蓄電装置９２から放電された電力を出力することができる。
【００６１】
このように構成された第三のユニット９０は、配電線Ｌ５を介して分電盤１０と接続される。
【００６２】
より詳細には、第三のユニット９０において、第三のパワコン９３が、配電線Ｌ５を介して分電盤１０内の配電線Ｌ１（第三のセンサ２３と第四のセンサ２４との間）と接続される。こうして、第三のパワコン９３が、配電線Ｌ５・Ｌ１を介して商用電源３や、負荷２と接続される。また、第三のパワコン９３が、配電線Ｌ５・Ｌ１・Ｌ２（又は、配電線Ｌ５・Ｌ１・Ｌ３）を介して第一のユニット３０と接続される。これにより、第三のパワコン９３は、後述する所定の充電時間帯になると商用電源３からの電力を第三の蓄電装置９２に充電させることができる。なお、配電線Ｌ５は、第三のパワコン９３の連系運転（通常連系運転及び擬似連系運転）時に使用される配電線である。また、配電線Ｌ５には、第三のブレーカ１３が設けられる。第三のブレーカ１３は、規定値を超える電力（電流）が流通した場合に、当該流通を禁止する（回路を遮断する）ものである。
【００６３】
また、第三のユニット９０は、配電線Ｌ８を介して分電盤１０外の後述する第二の切替盤１１０（より詳細には、配電線Ｌ１の中途部に接続された第二の切替盤１１２）と接続される。こうして、第三のユニット９０において、第三のパワコン９３が、配電線Ｌ８を介して、負荷２のうち負荷１２２と接続される。なお、配電線Ｌ８は、第三のパワコン９３の自立運転時に使用される配電線である。
【００６４】
図１及び図２に示す第四のユニット１００は、負荷２への電力の供給元の一つである。第四のユニット１００は、第四の蓄電装置１０２及び第四のパワコン１０３等を具備する。
【００６５】
なお、第四の蓄電装置１０２及び第四のパワコン１０３の構成（具体的には、それぞれの自身の構成や、互いの関係に関する構成）は、第一の蓄電装置３２及び第一のパワコン３３の構成と略同様であるため、特に異なる点を中心として説明を行う。
【００６６】
第四のパワコン１０３は、所定の配電線を介して第四の蓄電装置１０２と接続される。第四のパワコン１０３は、第四のセンサ２４と電気的に接続される。第四のパワコン１０３は、第四のセンサ２４から出力された信号が入力され、入力された信号に基づいて第四のセンサ２４の検出結果を取得可能に構成される。第四のパワコン１０３は、取得した第四のセンサ２４の検出結果に基づいて、出力する電力量を調整する負荷追従運転を行うことができる。また、第四のパワコン１０３は、取得した第四のセンサ２４の検出結果に基づいて、停電の発生に関する情報を取得することができる。第四のパワコン１０３は、連系運転及び自立運転を行うことができる。
【００６７】
なお、第四のパワコン１０３の連系運転には、通常時に商用電源３と連系した状態で行われる通常連系運転と、停電時に商用電源３と擬似的に連系した状態で行われる擬似連系運転と、が含まれる。
【００６８】
こうして、第四のパワコン１０３は、通常連系運転を行うことによって、通常時に商用電源３と連系した状態で、後述する配電線Ｌ６を介して第四の蓄電装置１０２から放電された電力を出力したり、商用電源３や第一のユニット３０からの電力を第四の蓄電装置１０２へ入力（充電）したりすることができる。
【００６９】
また、第四のパワコン１０３は、擬似連系運転を行うことによって、非常時に商用電源３と擬似的に連系した状態で、配電線Ｌ６を介して第四の蓄電装置１０２から放電された電力を出力したり、第一のユニット３０からの電力を第四の蓄電装置１０２へ入力（充電）したりすることができる。
【００７０】
また、第四のパワコン１０３は、自立運転を行うことによって、非常時に商用電源３から独立した状態で、後述する配電線Ｌ９を介して第四の蓄電装置１０２から放電された電力を出力することができる。
【００７１】
このように構成された第四のユニット１００は、配電線Ｌ６を介して分電盤１０と接続される。
【００７２】
より詳細には、第四のユニット１００において、第四のパワコン１０３が、配電線Ｌ６を介して分電盤１０内の配電線Ｌ１（第四のセンサ２４よりも負荷２側）と接続される。こうして、第四のパワコン１０３が、配電線Ｌ６・Ｌ１を介して商用電源３や、負荷２と接続される。また、第四のパワコン１０３が、配電線Ｌ６・Ｌ１・Ｌ２（又は、配電線Ｌ６・Ｌ１・Ｌ３）を介して第一のユニット３０と接続される。これにより、第四のパワコン１０３は、後述する所定の充電時間帯になると商用電源３からの電力を第四の蓄電装置１０２に充電させることができる。なお、配電線Ｌ６は、第四のパワコン１０３の連系運転（通常連系運転及び擬似連系運転）に使用される配電線である。また、配電線Ｌ６には、第四のブレーカ１４が設けられる。第四のブレーカ１４は、規定値を超える電力（電流）が流通した場合に、当該流通を禁止する（回路を遮断する）ものである。
【００７３】
また、第四のユニット１００は、配電線Ｌ９を介して分電盤１０外の後述する第二の切替盤１１０（より詳細には、配電線Ｌ１の中途部に接続された第二の切替盤１１３）と接続される。こうして、第四のユニット１００において、第四のパワコン１０３が、配電線Ｌ９を介して、負荷２のうち負荷１２３と接続される。なお、配電線Ｌ９は、第四のパワコン１０３の自立運転時に使用される配電線である。
【００７４】
このように、電力供給システム１では、電力を入出力可能に構成された第一のユニット３０、第二のユニット８０、第三のユニット９０及び第四のユニット１００が、配電線Ｌ１において商用電源３から負荷２側（下流側）へ向けて順番に接続されている。
【００７５】
図１及び図２に示す第二の切替盤１１０は、当該第二の切替盤１１０を介して負荷２側へと流れる電力の供給元を適宜切り替えるものである。より詳細には、第二の切替盤１１０には、第二の切替盤１１１、第二の切替盤１１２及び第二の切替盤１１３が含まれる。第二の切替盤１１０は、第二の切替盤１１１、第二の切替盤１１２及び第二の切替盤１１３を介して負荷１２１、負荷１２２及び負荷１２３側へとそれぞれ流れる電力の供給元を適宜切り替える。また、第二の切替盤１１１、第二の切替盤１１２及び第二の切替盤１１３は、配電線Ｌ１の中途部（分電盤１０と負荷１２１、負荷１２２及び負荷１２３との間）に設けられる。第二の切替盤１１１は、第二の切替盤１１１よりも下流側（負荷１２１側）を、当該配電線Ｌ１の第二の切替盤１１１よりも上流側、又は配電線Ｌ７の何れか一方と接続する。また、第二の切替盤１１２は、第二の切替盤１１２よりも下流側（負荷１２２側）を、当該配電線Ｌ１の第二の切替盤１１２よりも上流側、又は配電線Ｌ８の何れか一方と接続する。また、第二の切替盤１１３は、第二の切替盤１１３よりも下流側（負荷１２３側）を、当該配電線Ｌ１の第二の切替盤１１３よりも上流側、又は配電線Ｌ９の何れか一方と接続する。なお、第二の切替盤１１０（第二の切替盤１１１、第二の切替盤１１２及び第二の切替盤１１３）の切り替え制御は、第一のユニット３０の第一のパワコン３３により行われる。
【００７６】
以下では、通常時における電力供給システム１の電力の供給態様について説明する。
【００７７】
なお、図１に示すように、通常時である場合、第一の切替盤５０においては、第一のスイッチ５１がオフ・第二のスイッチ５２がオンとなることにより、配電線Ｌ１の上流側と下流側とが接続されている。また、第三のスイッチ６０は、オン条件を満たしてオンとなり、電力の流通が許可されている。また、第四のスイッチ７０は、オン条件を満たしてオンとなり、電力の流通が許可されている。
【００７８】
通常時である場合、商用電源３からの電力は、配電線Ｌ１を介して分電盤１０に供給された後、負荷２に供給される。この場合、最も下流側（負荷２側）に配置された第四のユニット１００においては、第四のパワコン１０３が、第四のセンサ２４の検出結果に基づいて負荷追従運転を行って、所定の電力量の電力を出力する。こうして、第四のユニット１００（第四のパワコン１０３）から出力された電力は、配電線Ｌ６・Ｌ１を介して負荷２に供給される。なお、第四のユニット１００から負荷２に電力が供給されると、商用電源３から負荷２に供給される電力量が減少する。
【００７９】
また、負荷２の消費電力を第四のユニット１００からの電力だけで賄えない場合には、不足する分の電力が商用電源３から負荷２に供給される。すなわち、商用電源３からの電力（不足する分の電力）が、配電線Ｌ１を介して分電盤１０に供給された後、負荷２に供給される。この場合、２番目に下流側（負荷２側）に配置された第三のユニット９０においては、第三のパワコン９３が、第三のセンサ２３の検出結果に基づいて負荷追従運転を行って、所定の電力量の電力を出力する。こうして、第三のユニット９０（第三のパワコン９３）から出力された電力は、配電線Ｌ５・Ｌ１を介して負荷２に供給される。なお、第三のユニット９０から負荷２に電力が供給されると、商用電源３から負荷２に供給される電力量がさらに減少する。
【００８０】
また、負荷２の消費電力を第三のユニット９０及び第四のユニット１００からの電力だけで賄えない場合には、不足する分の電力が商用電源３から負荷２に供給される。すなわち、商用電源３からの電力（不足する分の電力）が、配電線Ｌ１を介して分電盤１０に供給された後、負荷２に供給される。この場合、３番目に下流側（負荷２側）に配置された第二のユニット８０においては、第二のパワコン８３が、第二のセンサ２２の検出結果に基づいて負荷追従運転を行って、所定の電力量の電力を出力する。こうして、第二のユニット８０（第二のパワコン８３）から出力された電力は、配電線Ｌ４・Ｌ１を介して負荷２に供給される。なお、第二のユニット８０から負荷２に電力が供給されると、商用電源３から負荷２に供給される電力量がさらに減少する。
【００８１】
また、負荷２の消費電力を第二のユニット８０、第三のユニット９０及び第四のユニット１００からの電力だけで賄えない場合には、不足する分の電力が商用電源３から負荷２に供給される。すなわち、商用電源３からの電力（不足する分の電力）が、配電線Ｌ１を介して分電盤１０に供給された後、負荷２に供給される。この場合、最も上流側（商用電源３側）に配置された第一のユニット３０においては、第一のパワコン３３が、第一のセンサ２１の検出結果に基づいて負荷追従運転を行って、所定の電力量の電力を出力する。こうして、第一のユニット３０（第一のパワコン３３）から出力された電力は、配電線Ｌ２・Ｌ１を介して負荷２に供給される。なお、第一のユニット３０から負荷２に電力が供給されると、商用電源３から負荷２に供給される電力量がさらに減少する。
【００８２】
このように、通常時である場合（第二のパワコン８３、第三のパワコン９３及び第四のパワコン１０３の通常連系運転が行われている場合）、負荷２の消費電力に対して、第四のユニット１００、第三のユニット９０、第二のユニット８０、第一のユニット３０からの電力を順次出力することができ、ひいては商用電源３から負荷２に供給される電力量（商用電源３からの買電量）を減少させることができる。
【００８３】
また例えば、負荷２の消費電力に対して、第四のユニット１００、第三のユニット９０、第二のユニット８０からの電力を順次出力した状態で、第一のユニット３０において第一の太陽光発電装置３１で発電された電力に余剰が生じた場合には、当該余剰した電力を第一の蓄電装置３２に充電させることができる。また、負荷２の消費電力に対して、第四のユニット１００等のユニットからの電力だけで賄えている場合であって、且つ第一のユニット３０の第一の太陽光発電装置３１で発電された電力に余剰が生じる場合には、当該余剰した電力を第二のユニット８０の第二の蓄電装置８２等（すなわち、出力していない蓄電装置）に充電させることができる。
【００８４】
このように、通常時である場合、第一のユニット３０、第二のユニット８０、第三のユニット９０及び第四のユニット１００から出力される電力として、第一の太陽光発電装置３１で発電された電力を、第一の蓄電装置３２、第二の蓄電装置８２、第三の蓄電装置９２及び第四の蓄電装置１０２に充電させておくことができ、ひいては商用電源３から負荷２に供給される電力量（商用電源３からの買電量）を減少させることができる。
【００８５】
また、通常時である場合、所定の充電時間帯（例えば、工場の消費電力が少ない深夜の時間帯であり、例えば２３時から７時までの時間帯）に、深夜料金が適用された比較的安価な商用電源３からの電力を、第一のユニット３０、第二のユニット８０、第三のユニット９０及び第四のユニット１００から出力される電力として、第一の蓄電装置３２、第二の蓄電装置８２、第三の蓄電装置９２及び第四の蓄電装置１０２に充電させておくことができる。こうして、充電させた電力を（深夜料金が適用されない）昼間の時間帯に放電させることにより、比較的高価な電力の買電量を減少させることができる。
【００８６】
以下では、図３から図６を用いて、停電時における電力供給システム１の電力の供給態様について説明する。
【００８７】
なお、以下では、所定の充電時間帯以外の時間帯（例えば、１２時等）に停電が発生したものとする。停電が発生した場合、図３に示すように、商用電源３からの電力の供給が停止される。この場合、第一のユニット３０の第一のパワコン３３は、第一のセンサ２１の検出結果に基づいて、停電の発生に関する情報を取得する。こうして、第一のパワコン３３は、停電が発生した場合、連系運転を終了する。
【００８８】
また、第一のパワコン３３は、停電が発生した場合、第二の切替盤１１０の切り替え制御を行う。具体的には、第二の切替盤１１１は、第二の切替盤１１１よりも下流側（負荷１２１側）を、配電線Ｌ７と接続する。また、第二の切替盤１１２は、第二の切替盤１１２よりも下流側（負荷１２２側）を、配電線Ｌ８と接続する。また、第二の切替盤１１３は、第二の切替盤１１３よりも下流側（負荷１２３側）を、配電線Ｌ９と接続する。こうして、第二の切替盤１１０を介して負荷２側へと流れる電力の供給元が、自立運転時の第二のユニット８０、第三のユニット９０及び第四のユニット１００に切り替えられる。
【００８９】
また、停電が発生した場合、第二のユニット８０の第二のパワコン８３、第三のユニット９０の第三のパワコン９３及び第四のユニット１００の第四のパワコン１０３は、それぞれ第二のセンサ２２、第三のセンサ２３及び第四のセンサ２４の検出結果に基づいて、停電の発生に関する情報を取得する。こうして、第二のパワコン８３、第三のパワコン９３及び第四のパワコン１０３は、連系運転（通常連系運転）を終了すると共に、自立運転を開始する。こうして、第二のパワコン８３、第三のパワコン９３及び第四のパワコン１０３の自立運転が開始されると、図３に示すように、第二のパワコン８３、第三のパワコン９３及び第四のパワコン１０３から出力された電力が、それぞれ配電線Ｌ７・Ｌ８・Ｌ９を介して負荷１２１、負荷１２２及び負荷１２３に供給される。
【００９０】
また、第一のパワコン３３は、停電が発生した場合、第一の切替盤５０の切り替え制御を行う。具体的には、図３に示すように、第一のパワコン３３は、第一の切替盤５０において、第一のスイッチ５１をオン・第二のスイッチ５２をオフとすることにより、配電線Ｌ１の第一の切替盤５０よりも下流側と配電線Ｌ３とを接続する。こうして、第一の切替盤５０を介して負荷２側へと流れる電力の供給元が、自立運転時の第一のユニット３０に切り替えられる。
【００９１】
また、第一のパワコン３３は、連系運転を終了した後、所定の期間経過後（第一の切替盤５０の切り替え制御が行われた後）に自立運転を開始する。こうして、第一のパワコン３３の自立運転が開始されると、図４に示すように、第一のパワコン３３から出力された電力が配電線Ｌ３を流通すると共に、トランス４０で昇圧される。
【００９２】
また、第一のパワコン３３は、停電が発生した場合、第三のスイッチ６０及び第四のスイッチ７０のオン・オフ制御を行う。
【００９３】
具体的には、図３に示すように、第一のパワコン３３は、第四のスイッチ７０のオン条件（停電時であって且つ所定の充電時間帯ではないこと）を満たしていると判断し、当該第四のスイッチ７０をオンとして電力の流通を許可する。
【００９４】
また、第一のパワコン３３は、図３に示すように、連系運転を終了した後、自立運転を開始するまでの間、第三のスイッチ６０のオフ条件（停電時に自立運転による第一のパワコン３３からの電力（第一のユニット３０からの電力）が出力されていないこと）を満たしていると判断し、当該第三のスイッチ６０をオフとして電力の流通を禁止する。そして、第一のパワコン３３は、図４に示すように、自立運転を開始し、配電線Ｌ３を流通するように電力を出力すると、第三のスイッチ６０のオン条件（停電時に自立運転による第一のパワコン３３からの電力（第一のユニット３０からの電力）が出力されていること）を満たしていると判断し、当該第三のスイッチ６０をオンとして電力の流通を許可する。
【００９５】
こうして、第一のパワコン３３の自立運転が開始されると、図４に示すように、第一のパワコン３３から出力された電力が、配電線Ｌ３・Ｌ１を介して負荷２に供給される。
【００９６】
なお、自立運転によって第一のパワコン３３から出力された電力が、配電線Ｌ３・Ｌ１を介して負荷２に供給されると、第二のユニット８０の第二のパワコン８３、第三のユニット９０の第三のパワコン９３及び第四のユニット１００の第四のパワコン１０３は、それぞれ第二のセンサ２２、第三のセンサ２３及び第四のセンサ２４の検出結果に基づいて、実際には停電が解消していないにもかかわらず、あたかも停電が解消したかのような情報（以下では「擬似停電解消情報」と称する）を取得する。
【００９７】
こうして、第二のパワコン８３、第三のパワコン９３及び第四のパワコン１０３は、停電が発生した場合に擬似停電解消情報を取得すると、自立運転を終了すると共に、連系運転を開始する。なお、この場合の連系運転は、第一のユニット３０から出力された電力を商用電源３からの電力と見立てて、実際は商用電源３ではなく当該第一のユニット３０と連系して行われるものである（擬似連系運転である）。
【００９８】
これによって、図５に示すように、通常時（すなわち、通常連系運転が行われている場合）と同様に、負荷２の消費電力に対して、第四のユニット１００、第三のユニット９０、第二のユニット８０、第一のユニット３０からの電力を順次出力することができる。すなわち、第二のパワコン８３、第三のパワコン９３及び第四のパワコン１０３の擬似連系運転が開始されると、負荷２の消費電力を下流側のユニット（例えば、第四のユニット１００）からの電力だけで賄えない場合に、第一のユニット３０からの電力（不足する分の電力）に基づいて、上流側のユニットのパワコン（例えば、第三のユニット９０の第三のパワコン９３）が負荷追従運転を行って、所定の電力量の電量を出力する。
【００９９】
なお、自立運転による第一のパワコン３３からの電力の出力が開始された後、第一のパワコン３３において出力可能な電力が無くなった場合には、第二のパワコン８３、第三のパワコン９３及び第四のパワコン１０３は当該擬似連系運転を終了し、自立運転を開始する。
【０１００】
このように、自立運転による第一のパワコン３３からの電力の出力が開始された後、何らかの原因によって第一のパワコン３３からの電力の出力が停止する場合がある。
【０１０１】
以下では、図６を用いて、自立運転による第一のパワコン３３からの電力の出力が開始された後、何らかの原因によって第一のパワコン３３からの電力の出力が停止した場合の、電力供給システム１の電力の供給態様について説明する。
【０１０２】
このような場合、第一のパワコン３３は、第三のスイッチ６０のオン・オフ制御を行う。具体的には、図６に示すように、第一のパワコン３３は、第三のスイッチ６０のオフ条件（停電時であって且つ第一のユニット３０において第一のパワコン３３が自立運転を行って電力が出力されていないこと）を満たしたと判断し、当該第三のスイッチ６０をオフとして電力の流通を禁止する。
【０１０３】
こうして、自立運転によって第一のパワコン３３から出力された電力が第三のスイッチ６０（配電線Ｌ１）を流通しなくなると、第二のユニット８０の第二のパワコン８３、第三のユニット９０の第三のパワコン９３及び第四のユニット１００の第四のパワコン１０３は、それぞれ第二のセンサ２２、第三のセンサ２３及び第四のセンサ２４の検出結果に基づいて、停電の発生に関する情報を取得する。こうして、第二のパワコン８３、第三のパワコン９３及び第四のパワコン１０３は、連系運転（擬似連系運転）を終了すると共に、自立運転を開始する。第二のパワコン８３、第三のパワコン９３及び第四のパワコン１０３の自立運転が開始されると、図６に示すように、第二のパワコン８３、第三のパワコン９３及び第四のパワコン１０３から出力された電力が、それぞれ配電線Ｌ７・Ｌ８・Ｌ９を介して負荷１２１、負荷１２２及び負荷１２３に供給される。
【０１０４】
なお、上述の如く、本実施形態において、第三のスイッチ６０は、自立運転による第一のパワコン３３からの電力の出力が開始されてオンとなった場合、何らかの原因で一旦オフとなると、その後オン条件を満たしたと判断された場合であっても、停電が解消するまでは再びオンとなることがないように制御される。これによって、前記原因が解消され、自立運転による第一のパワコン３３からの電力の出力が再び開始された場合であっても、当該第一のパワコン３３から出力された電力は第三のスイッチ６０（配電線Ｌ１）を流通しないこととなる。
【０１０５】
このような構成により、何らかの原因によって、自立運転による電力の出力の停止と開始とが第一のパワコン３３で繰り返された場合であっても、当該出力された電力が配電線Ｌ１を流通することがないため、第二のユニット８０の第二のパワコン８３、第三のユニット９０の第三のパワコン９３及び第四のユニット１００の第四のパワコン１０３は、それぞれ第二のセンサ２２、第三のセンサ２３及び第四のセンサ２４の検出結果に基づいて、擬似停電解消情報を取得することがない。すなわち、第二のパワコン８３、第三のパワコン９３及び第四のパワコン１０３が、自立運転を終了して擬似連系運転を開始したり、擬似連系運転を終了して自立運転を開始したりする、煩雑な動作となるのを防止することができる。
【０１０６】
なお、本実施形態において、第三のスイッチ６０は、自立運転による第一のパワコン３３からの電力の出力が開始されてオンとなった場合、何らかの原因で一旦オフとなると、その後停電が解消するまでは再びオンとなることがないように制御されるが、停電が解消していなくとも人の手による操作によって再びオンとすることができる構成としてもよい。
【０１０７】
以下では、図７を用いて、所定の充電時間帯に停電が発生した場合における電力供給システム１の電力の供給態様について説明する。
【０１０８】
なお、所定の充電時間帯に停電が発生した場合における電力供給システム１の電力の供給態様においては、上述の如き所定の充電時間帯以外の時間帯（例えば、１２時等）に停電が発生した場合と比べて、第四のスイッチ７０のオン・オフ制御が異なっている。
【０１０９】
具体的には、図７に示すように、第一のパワコン３３は、第四のスイッチ７０のオフ条件（停電時であって且つ所定の充電時間帯であること）を満たしていると判断し、当該第四のスイッチ７０をオフとして電力の流通を禁止する。
【０１１０】
こうして、自立運転によって第一のパワコン３３から出力された電力が第四のスイッチ７０（配電線Ｌ１）を流通しないと、第二のユニット８０の第二のパワコン８３、第三のユニット９０の第三のパワコン９３及び第四のユニット１００の第四のパワコン１０３は、それぞれ第二のセンサ２２、第三のセンサ２３及び第四のセンサ２４の検出結果に基づいて、停電の発生に関する情報を取得する。こうして、第二のパワコン８３、第三のパワコン９３及び第四のパワコン１０３は、連系運転（通常連系運転）を終了すると共に、自立運転を開始する。第二のパワコン８３、第三のパワコン９３及び第四のパワコン１０３の自立運転が開始されると、図７に示すように、第二のパワコン８３、第三のパワコン９３及び第四のパワコン１０３から出力された電力が、それぞれ配電線Ｌ７・Ｌ８・Ｌ９を介して負荷１２１、負荷１２２及び負荷１２３に供給される。
【０１１１】
このように、電力供給システム１においては、時間帯に応じた簡易な制御を行うことによって、所定の充電時間帯に停電が発生した場合に、第二のパワコン８３、第三のパワコン９３及び第四のパワコン１０３が、連系運転（擬似連系運転）を開始しないように設定している。これにより、（商用電源３からの電力ではなく）第一のユニット３０から出力された電力が、第二の蓄電装置８２、第三の蓄電装置９２及び第四の蓄電装置１０２に充電されるのを防止することができる。こうして、停電が発生した場合に、限られた電力量である第一のユニット３０からの電力が複数の蓄電装置に充電されるのを防止し、ひいてはシステムがダウンするのを防止することができる。
【０１１２】
以下では、図８を用いて、第二実施形態に係る電力供給システム２００について説明する。
【０１１３】
なお、図８は、第二実施形態に係る電力供給システム２００のうち、第二の切替盤１１０（第二の切替盤１１１）及び負荷２（負荷１２１）の構成を示したブロック図である。また、第二実施形態に係る電力供給システム２００においては、第一実施形態に係る電力供給システム１と比べて、負荷１２１の設定と第二の切替盤１１１の構成とが異なっている。また、以下では便宜上、第二の切替盤１１１と負荷１２１とを接続する配電線を、第一実施形態に係る電力供給システム１と異なるものとして説明を行う。
【０１１４】
図８に示すように、負荷１２１には、停電時に電力を供給する必要性の大小に応じて予め設定された３種類の負荷が含まれている。具体的には、負荷１２１には、一般負荷１２１ａと、第一の重要負荷１２１ｂと、第二の重要負荷１２１ｃと、が含まれている。一般負荷１２１ａとは、停電時に電力の供給を継続する必要性が比較的小さい負荷である。第二の重要負荷１２１ｃとは、停電時であっても電力の供給を継続する必要性が比較的大きい負荷である。第一の重要負荷１２１ｂとは、停電時であっても電力の供給を継続する必要性が比較的大きい（第二の重要負荷１２１ｃよりも大きい）負荷である。
【０１１５】
一般負荷１２１ａは、配電線Ｌ１の下流側端部に配置される。第二の重要負荷１２１ｃは、配電線Ｌ７の下流側端部に配置される。第一の重要負荷１２１ｂは、後述する配電線Ｌ７ａの下流側端部に接続される。配電線Ｌ７ａは、配電線Ｌ７の下流側が分岐するように接続された配電線である。配電線Ｌ７ａの上流側端部は、第二の切替盤１１１内で、配電線Ｌ７の中途部（接点２２１）に接続される。
【０１１６】
図８に示す第二の切替盤１１１は、当該第二の切替盤１１１を介して負荷２側へと流れる電力の供給元を適宜切り替えるものである。第二の切替盤１１１は、第一の切替盤スイッチ２１１、第二の切替盤スイッチ２１２、第三の切替盤スイッチ２１３及び第四の切替盤スイッチ２１４等を具備する。
【０１１７】
第一の切替盤スイッチ２１１は、第二の切替盤１１１内で、配電線Ｌ１の中途部に配置される。また、第三の切替盤スイッチ２１３は、第二の切替盤１１１内で、配電線Ｌ７の中途部に配置される。第二の切替盤スイッチ２１２は、第二の切替盤１１１内で、後述する配電線Ｌ１ａの中途部に配置される。配電線Ｌ１ａは、配電線Ｌ１と配電線Ｌ７とを接続する配電線である。配電線Ｌ１ａの上流側端部は、配電線Ｌ１の中途部（接点２２２）に接続される。接点２２２は、配電線Ｌ１において、第一の切替盤スイッチ２１１よりも上流側に配置される。配電線Ｌ１ａの下流側端部は、配電線Ｌ７の中途部（接点２２３）に接続される。接点２２３は、配電線Ｌ７において、第三の切替盤スイッチ２１３と接点２２１との間に配置される。第四の切替盤スイッチ２１４は、第二の切替盤１１１内で、配電線Ｌ７の中途部（接点２２１よりも下流側）に配置される。
【０１１８】
第一の切替盤スイッチ２１１、第二の切替盤スイッチ２１２、第三の切替盤スイッチ２１３及び第四の切替盤スイッチ２１４は、配置箇所の電力の流通をオン・オフ（許可又は禁止）するものである。第一の切替盤スイッチ２１１、第二の切替盤スイッチ２１２、第三の切替盤スイッチ２１３及び第四の切替盤スイッチ２１４は、所定のオン条件を満たす場合にオンとなり、配置箇所の電力の流通を許可する。また、第一の切替盤スイッチ２１１、第二の切替盤スイッチ２１２、第三の切替盤スイッチ２１３及び第四の切替盤スイッチ２１４は、所定のオフ条件を満たす場合にオフとなり、配置箇所の電力の流通を禁止する。
【０１１９】
第一の切替盤スイッチ２１１のオン条件とは、通常時であること、である。また、第一の切替盤スイッチ２１１のオフ条件とは、停電時であること、である。
【０１２０】
第二の切替盤スイッチ２１２のオン条件とは、通常時であること、又は、停電時に第二のパワコン８３、第三のパワコン９３及び第四のパワコン１０３が自立運転を行っていないこと、の何れかである。また、第二の切替盤スイッチ２１２のオフ条件とは、停電時に第二のパワコン８３、第三のパワコン９３及び第四のパワコン１０３が自立運転を行っていること、である。
【０１２１】
第三の切替盤スイッチ２１３のオン条件とは、停電時に第二のパワコン８３、第三のパワコン９３及び第四のパワコン１０３が自立運転を行っていること、である。また、第三の切替盤スイッチ２１３のオフ条件とは、通常時であること、又は、停電時に第二のパワコン８３、第三のパワコン９３及び第四のパワコン１０３が自立運転を行っていないこと、の何れかである。
【０１２２】
このように、第二の切替盤スイッチ２１２及び第三の切替盤スイッチ２１３のオン・オフは、互いに排他的な関係となるように設定される。具体的には、第二の切替盤スイッチ２１２がオンとなると、第三の切替盤スイッチ２１３がオフとなる。また、第二の切替盤スイッチ２１２がオフとなると、第三の切替盤スイッチ２１３がオンとなる。
【０１２３】
第四の切替盤スイッチ２１４のオン条件とは、通常時であること、又は、停電の発生後に所定の期間が経過したこと、の何れかである。また、第四の切替盤スイッチ２１４のオフ条件とは、停電の発生後に所定の期間が経過していないこと、である。なお、前記所定の期間とは、第二のパワコン８３、第三のパワコン９３及び第四のパワコン１０３が、停電の発生に関する情報を取得した後、それぞれ第二のセンサ２２、第三のセンサ２３及び第四のセンサ２４の検出結果に基づいて擬似連系運転を開始するまでの期間（すなわち、自立運転を行っている期間）であり、例えば５分である。
【０１２４】
なお、第一の切替盤スイッチ２１１、第二の切替盤スイッチ２１２、第三の切替盤スイッチ２１３及び第四の切替盤スイッチ２１４のオン・オフ制御（各のスイッチがオン条件又はオフ条件を満たしたか否かの判断）は、第一のユニット３０の第一のパワコン３３により行われる。
【０１２５】
以下では、図９（ａ）を用いて、通常時における第二実施形態に係る電力供給システム２００の電力の供給態様について説明する。
【０１２６】
なお、図９（ａ）に示すように、通常時である場合、第二の切替盤１１１においては、第二の切替盤スイッチ２１２がオン・第三の切替盤スイッチ２１３がオフとなることにより、第三の切替盤スイッチ２１３の電力の流通が禁止されると共に、第二の切替盤スイッチ２１２（配電線Ｌ１と配電線Ｌ７との間）の電力の流通が許可されている。また、第一の切替盤スイッチ２１１は、オン条件を満たしてオンとなり、電力の流通が許可されている。また、第四の切替盤スイッチ２１４は、オン条件を満たしてオンとなり、電力の流通が許可されている。
【０１２７】
こうして、通常時である場合、配電線Ｌ１を介して第二の切替盤１１１に供給された電力は、全ての負荷（一般負荷１２１ａ、第一の重要負荷１２１ｂ及び第二の重要負荷１２１ｃ）に供給される。
【０１２８】
以下では、図９（ｂ）及び図９（ｃ）を用いて、停電時における第二実施形態に係る電力供給システム２００の電力の供給態様について説明する。
【０１２９】
なお、図９（ｂ）は、停電の発生後に所定の期間が経過していない場合の電力の供給態様を示したブロック図である。より詳細には、図９（ｂ）は、停電が発生してから５分未満の状態、すなわち第二のパワコン８３、第三のパワコン９３及び第四のパワコン１０３が、停電の発生に関する情報を取得した後、自立運転を行っている状態を示している。
【０１３０】
こうして、図９（ｂ）に示すように、停電が発生してから５分未満である場合、第二の切替盤１１１においては、第二の切替盤スイッチ２１２がオフ・第三の切替盤スイッチ２１３がオンとなることにより、第二の切替盤スイッチ２１２（配電線Ｌ１と配電線Ｌ７との間）の電力の流通が禁止されると共に、第三の切替盤スイッチ２１３の電力の流通が許可されている。また、第一の切替盤スイッチ２１１は、オフ条件を満たしてオフとなり、電力の流通が禁止されている。また、第四の切替盤スイッチ２１４は、オフ条件を満たしてオフとなり、電力の流通が禁止されている。
【０１３１】
こうして、停電が発生してから５分未満である場合、配電線Ｌ７を介して第二の切替盤１１１に供給された電力は、全ての負荷（一般負荷１２１ａ、第一の重要負荷１２１ｂ及び第二の重要負荷１２１ｃ）のうち、第一の重要負荷１２１ｂに供給される。
【０１３２】
また、図９（ｃ）は、停電の発生後に所定の期間が経過した場合の電力の供給態様を示したブロック図である。より詳細には、図９（ｃ）は、停電が発生してから５分経過した状態、すなわち第二のパワコン８３、第三のパワコン９３及び第四のパワコン１０３が、停電の発生に関する情報を取得して自立運転を行った後に、それぞれ第二のセンサ２２、第三のセンサ２３及び第四のセンサ２４の検出結果に基づいて擬似連系運転を開始した状態を示している。
【０１３３】
こうして、図９（ｃ）に示すように、停電が発生してから５分経過した場合、第二の切替盤１１１においては、第二の切替盤スイッチ２１２がオン・第三の切替盤スイッチ２１３がオフとなることにより、第三の切替盤スイッチ２１３の電力の流通が禁止されると共に、第二の切替盤スイッチ２１２（配電線Ｌ１と配電線Ｌ７との間）の電力の流通が許可されている。また、第一の切替盤スイッチ２１１は、オフ条件を満たしてオフとなり、電力の流通が禁止されている。また、第四の切替盤スイッチ２１４は、オン条件を満たしてオンとなり、電力の流通が許可されている。
【０１３４】
こうして、停電が発生してから５分経過した場合、配電線Ｌ１を介して第二の切替盤１１１に供給された電力は、全ての負荷（一般負荷１２１ａ、第一の重要負荷１２１ｂ及び第二の重要負荷１２１ｃ）のうち、第一の重要負荷１２１ｂ及び第二の重要負荷１２１ｃに供給される。
【０１３５】
このように、第二実施形態に係る電力供給システム２００においては、通常時である場合に、配電線Ｌ１を介して第二の切替盤１１１に供給された電力は、全ての負荷（一般負荷１２１ａ、第一の重要負荷１２１ｂ及び第二の重要負荷１２１ｃ）に供給される。しかし、停電時である場合には、第二の切替盤１１１に供給された電力は、停電が発生してからの期間に応じて、第一の重要負荷１２１ｂだけに供給されたり、第一の重要負荷１２１ｂ及び第二の重要負荷１２１ｃに供給されたりする。
【０１３６】
これによって、停電が発生してから５分未満である場合、すなわち配電線Ｌ７を介して自立運転時の第二のパワコン８３からの電力が第二の切替盤１１１に供給された場合には、配電線Ｌ７からの電力を第一の重要負荷１２１ｂにのみ供給することができる。すなわち、第二の切替盤１１１に供給されてくる電力量が比較的小さい場合であっても、停電時であっても電力の供給を継続する必要性が比較的大きい（第二の重要負荷１２１ｃよりも大きい）第一の重要負荷１２１ｂに対して、電力が供給されなくなる不都合をできるだけ回避することができる。
【０１３７】
また、停電が発生してから５分経過した場合、すなわち配電線Ｌ１を介して擬似連系運転時の第二のパワコン８３、第三のパワコン９３及び第四のパワコン１０３からの電力が第二の切替盤１１１に供給された場合には、配電線Ｌ１からの電力を第一の重要負荷１２１ｂ及び第二の重要負荷１２１ｃに供給することができる。すなわち、停電時であっても第二の切替盤１１１に供給されてくる電力量が比較的大きい場合には、第一の重要負荷１２１ｂだけでなく、停電時であっても電力の供給を継続する必要性が比較的大きい第二の重要負荷１２１ｃに対しても電力を供給することができる。
【０１３８】
なお、上述の如く、図８及び図９を用いた第二実施形態に係る電力供給システム２００の説明においては、第二の切替盤１１１及び負荷１２１の構成を採り上げたが、第二の切替盤１１２及び負荷１２２や、第二の切替盤１１３及び負荷１２３においても、当該第二の切替盤１１１及び負荷１２１と同様の構成を採用することができる。
【０１３９】
以下では、図１０及び図１１を用いて、第三実施形態に係る電力供給システム３００について説明する。
【０１４０】
なお、第三実施形態に係る電力供給システム３００においては、第一実施形態に係る電力供給システム１と比べて、第二のユニット８０、第三のユニット９０及び第四のユニット１００の構成が異なっている。
【０１４１】
具体的には、第三実施形態に係る電力供給システム３００において、第二のユニット８０は、電力供給システム１と同様の第二の蓄電装置８２及び第二のパワコン８３の他、第二の太陽光発電装置８１及び第二のユニット切替盤８４を具備する。第二のユニット切替盤８４は、第二のユニットスイッチ８５を具備する（図１１参照）。
【０１４２】
また、第三のユニット９０は、電力供給システム１と同様の第三の蓄電装置９２及び第三のパワコン９３の他、第三の太陽光発電装置９１及び第三のユニット切替盤９４を具備する。第三のユニット切替盤９４は、第三のユニットスイッチ９５を具備する（図１１参照）。
【０１４３】
また、第四のユニット１００は、電力供給システム１と同様の第四の蓄電装置１０２及び第四のパワコン１０３の他、第四の太陽光発電装置１０１及び第四のユニット切替盤１０４を具備する。第四のユニット切替盤１０４は、第四のユニットスイッチ１０５を具備する（図１１参照）。
【０１４４】
なお、第二の太陽光発電装置８１及び第二のユニット切替盤８４と、第三の太陽光発電装置９１及び第三のユニット切替盤９４と、第四の太陽光発電装置１０１及び第四のユニット切替盤１０４とは、互いの構成が略同一である。したがって、以下では、第二の太陽光発電装置８１及び第二のユニット切替盤８４について説明し、第三の太陽光発電装置９１及び第三のユニット切替盤９４と、第四の太陽光発電装置１０１及び第四のユニット切替盤１０４とについては、図１１に符号を付することで、その説明を省略する。
【０１４５】
第二の太陽光発電装置８１は、太陽光を利用して発電する装置である。第二の太陽光発電装置８１は、太陽電池パネル等を具備する。第二の太陽光発電装置８１は、第二のユニット８０内で、配電線Ｌ４ａを介して第二のパワコン８３と接続される。
【０１４６】
第二のユニット切替盤８４は、第二の太陽光発電装置８１で発電された電力（直流電力）の、第二のパワコン８３への入力を制御するものである。第二のユニット切替盤８４の第二のユニットスイッチ８５は、配置箇所の電力の流通をオン・オフ（許可又は禁止）することができる。第二のユニットスイッチ８５は、第二のユニット切替盤８４内で、配電線Ｌ４ａの中途部に配置される。第二のユニットスイッチ８５は、所定のオン条件を満たす場合にオンとなり、配置箇所の電力の流通を許可する。また、第二のユニットスイッチ８５は、所定のオフ条件を満たす場合にオフとなり、配置箇所の電力の流通を禁止する。
【０１４７】
第二のユニットスイッチ８５のオン条件とは、通常時であること、又は、停電時に第一のパワコン３３の自立運転による電力（第一のユニット３０からの電力）が出力されていないこと、の何れかである。また、第二のユニットスイッチ８５のオフ条件とは、停電時に第一のパワコン３３の自立運転による電力（第一のユニット３０からの電力）が出力されていること、である。なお、第二のユニットスイッチ８５のオン・オフ制御（第二のユニットスイッチ８５がオン条件又はオフ条件を満たしたか否かの判断）は、第一のユニット３０の第一のパワコン３３により行われる。
【０１４８】
以下では、図１２（ａ）を用いて、通常時における第三実施形態に係る電力供給システム３００の電力の供給態様について説明する。
【０１４９】
通常時である場合、第二のユニットスイッチ８５は、オン条件を満たしてオンとなり、電力の流通が許可されている。このような場合、図１２（ａ）に示すように、第二の太陽光発電装置８１で発電された電力は、配電線Ｌ４ａを介して第二のパワコン８３に入力される。第二のパワコン８３に入力された電力は、当該第二のパワコン８３によって第二の蓄電装置８２に入力（充電）されたり、配電線Ｌ４を介して出力されたりする。また、第二のパワコン８３によって配電線Ｌ４を介して出力された電力において、負荷の消費電力に対して余剰が生じる場合には、当該余剰した電力を配電線Ｌ１を介して商用電源３へと逆潮流させて売電することができる。こうして、第二のユニット８０から出力された電力を売電すると、経済的な利益を得ることができる。
【０１５０】
以下では、図１２（ｂ）を用いて、停電時において自立運転時の第一のユニットからの電力が出力されている場合の、第三実施形態に係る電力供給システム３００の電力の供給態様について説明する。
【０１５１】
このような場合、第二のユニットスイッチ８５は、オフ条件を満たしてオフとなり、電力の流通が禁止されている。こうして、図１２（ｂ）に示すように、第二の太陽光発電装置８１で発電が行われている場合であっても、当該発電された電力は、配電線Ｌ４ａを介して第二のパワコン８３に入力されない。
【０１５２】
ここで、停電時において自立運転時の第一のユニットからの電力が出力されている場合に、第二の太陽光発電装置８１で発電された電力を出力し、配電線Ｌ１を介して商用電源３へと逆潮流させると、当該逆潮流した電力が配電線Ｌ１・Ｌ３を介してトランス４０に供給されるおそれがある。このように、逆潮流した電力がトランス４０に供給されると、当該トランス４０に不具合が生じる可能性がある。
【０１５３】
しかしながら、電力供給システム３００においては、停電時において自立運転時の第一のユニットからの電力が出力されている場合には、第二のユニットスイッチ８５がオフ条件を満たしてオフとなることによって、第二の太陽光発電装置８１で発電された電力が配電線Ｌ１を介して商用電源３へと逆潮流することがない。すなわち、逆潮流した電力が配電線Ｌ１・Ｌ３を介してトランス４０に供給されることがないため、当該トランス４０に不具合が生じるのを防止することができる。
【０１５４】
以下では、図１３を用いて、第四実施形態に係る電力供給システム４００について説明する。
【０１５５】
なお、第四実施形態に係る電力供給システム４００においては、第一実施形態に係る電力供給システム１と比べて、負荷２（負荷１２１、負荷１２２及び負荷１２３）以外の負荷（より詳細には、抵抗負荷４１１・４１２、共用負荷４３１及び共用重要負荷４３２）を具備する点で構成が異なっている。
【０１５６】
図１３に示す抵抗負荷４１１・４１２は、停電時に、第二のパワコン８３、第三のパワコン９３及び第四のパワコン１０３の擬似連系運転が開始された場合であって、第二のパワコン８３、第三のパワコン９３及び第四のパワコン１０３から出力された電力が何らかの原因で逆潮流した場合に、当該逆潮流した電力を消費するための負荷である。抵抗負荷４１１・４１２は、配電線Ｌ１０を介して分電盤１０と接続される。より詳細には、抵抗負荷４１１・４１２は、分電盤１０内の配電線Ｌ１の中途部（第四のスイッチ７０と第二のセンサ２２との間）に接続される。配電線Ｌ１０には、第五のスイッチ４２１が配置される。
【０１５７】
第五のスイッチ４２１は、配置箇所の電力の流通をオン・オフ（許可又は禁止）するものである。第五のスイッチ４２１は、所定のオン条件を満たす場合にオンとなり、配置箇所の電力の流通を許可する。また、第五のスイッチ４２１は、所定のオフ条件を満たす場合にオフとなり、配置箇所の電力の流通を禁止する。
【０１５８】
第五のスイッチ４２１のオン条件とは、停電時であること、である。また、第五のスイッチ４２１のオフ条件とは、通常時であること、である。なお、第五のスイッチ４２１のオン・オフ制御（第五のスイッチ４２１がオン条件又はオフ条件を満たしたか否かの判断）は、第一のユニット３０の第一のパワコン３３により行われる。
【０１５９】
図１３に示す共用負荷４３１及び共用重要負荷４３２は、それぞれ工場の共用部に設けられる負荷である。また、共用負荷４３１とは、工場の共用部に設けられる負荷のうち、停電時に電力の供給を継続する必要性が比較的小さい負荷である。共用重要負荷４３２とは、工場の共用部に設けられる負荷のうち、停電時であっても電力の供給を継続する必要性が比較的大きい負荷である。
【０１６０】
共用負荷４３１は、配電線Ｌ１１の中途部に配置される。配電線Ｌ１１は、第一の切替盤５０及び第一のユニット３０を迂回するように配電線Ｌ１に接続された配電線である。配電線Ｌ１１の一側端部は、分電盤１０内で配電線Ｌ１における配電線Ｌ２・Ｌ１の接続部よりも上流側に接続される。また、配電線Ｌ１１の他側端部は、分電盤１０内で配電線Ｌ１における第一の切替盤５０と第三のスイッチ６０との間に接続される。また、配電線Ｌ１１には、第六のスイッチ４２２、第七のスイッチ４２３及び第八のスイッチ４２４が配置される。
【０１６１】
第六のスイッチ４２２は、分電盤１０内で、配電線Ｌ１１の中途部に配置される。第六のスイッチ４２２は、配置箇所の電力の流通をオン・オフ（許可又は禁止）するものである。第六のスイッチ４２２は、所定のオン条件を満たす場合にオンとなり、配置箇所の電力の流通を許可する。また、第六のスイッチ４２２は、所定のオフ条件を満たす場合にオフとなり、配置箇所の電力の流通を禁止する。
【０１６２】
第六のスイッチ４２２のオン条件とは、停電時であること、である。また、第六のスイッチ４２２のオフ条件とは、通常時であること、である。なお、第六のスイッチ４２２のオン・オフ制御（第六のスイッチ４２２がオン条件又はオフ条件を満たしたか否かの判断）は、第一のユニット３０の第一のパワコン３３により行われる。
【０１６３】
第七のスイッチ４２３は、配電線Ｌ１１において共用負荷４３１と第六のスイッチ４２２との間に配置される。第七のスイッチ４２３は、配置箇所の電力の流通をオン・オフ（許可又は禁止）するものである。第七のスイッチ４２３は、所定のオン条件を満たす場合にオンとなり、配置箇所の電力の流通を許可する。また、第七のスイッチ４２３は、所定のオフ条件を満たす場合にオフとなり、配置箇所の電力の流通を禁止する。
【０１６４】
第七のスイッチ４２３のオン条件とは、通常時であること、である。また、第七のスイッチ４２３のオフ条件とは、停電時であること、である。
【０１６５】
第八のスイッチ４２４は、配電線Ｌ１１において第七のスイッチ４２３と第六のスイッチ４２２との間に配置される。第八のスイッチ４２４は、配置箇所の電力の流通をオン・オフ（許可又は禁止）するものである。第八のスイッチ４２４は、所定のオン条件を満たす場合にオンとなり、配置箇所の電力の流通を許可する。また、第八のスイッチ４２４は、所定のオフ条件を満たす場合にオフとなり、配置箇所の電力の流通を禁止する。
【０１６６】
第八のスイッチ４２４のオン条件とは、停電時であること、である。また、第八のスイッチ４２４のオフ条件とは、通常時であること、である。
【０１６７】
このように、第七のスイッチ４２３及び第八のスイッチ４２４のオン・オフは、互いに排他的な関係となるように設定される。具体的には、第七のスイッチ４２３がオンとなると、第八のスイッチ４２４がオフとなる。また、第七のスイッチ４２３がオフとなると、第八のスイッチ４２４がオンとなる。なお、第七のスイッチ４２３及び第八のスイッチ４２４のオン・オフ制御（第七のスイッチ４２３及び第八のスイッチ４２４がオン条件又はオフ条件を満たしたか否かの判断）は、第一のユニット３０の第一のパワコン３３により行われる。
【０１６８】
共用重要負荷４３２は、配電線Ｌ１２の下流側端部に接続される。配電線Ｌ１２の上流側端部は、配電線Ｌ１１の中途部（第七のスイッチ４２３と第八のスイッチ４２４との間）に接続される。
【０１６９】
以下では、図１４を用いて、通常時における第四実施形態に係る電力供給システム４００の電力の供給態様について説明する。
【０１７０】
通常時である場合、第五のスイッチ４２１は、オフ条件を満たしてオフとなり、電力の流通が禁止されている。また、第六のスイッチ４２２は、オフ条件を満たしてオフとなり、電力の流通が禁止されている。また、第七のスイッチ４２３がオン・第八のスイッチ４２４がオフとなることにより、第七のスイッチ４２３の電力の流通が許可されると共に、第八のスイッチ４２４の電力の流通が禁止されている。
【０１７１】
このような場合、配電線Ｌ１を流通する商用電源３からの電力（又は、第一のユニット３０から出力された電力）は、配電線Ｌ１１へと流れて、共用負荷４３１及び共用重要負荷４３２に供給される。
【０１７２】
以下では、図１５から図１７を用いて、停電時における第四実施形態に係る電力供給システム４００の電力の供給態様について説明する。
【０１７３】
停電時である場合、第五のスイッチ４２１は、オン条件を満たしてオンとなり、電力の流通が許可されている。また、第六のスイッチ４２２は、オン条件を満たしてオンとなり、電力の流通が許可されている。また、第七のスイッチ４２３がオフ・第八のスイッチ４２４がオンとなることにより、第七のスイッチ４２３の電力の流通が禁止されると共に、第八のスイッチ４２４の電力の流通が許可されている。
【０１７４】
このような場合、配電線Ｌ１を流通する自立運転時の第一のユニット３０からの電力は、配電線Ｌ１１へと流れて、共用重要負荷４３２に供給される。
【０１７５】
このように、第四実施形態に係る電力供給システム４００においては、通常時である場合に、工場の共用部に設けられる全ての負荷（共用負荷４３１及び共用重要負荷４３２）に電力が供給される。しかし、停電時である場合には、工場の共用部に設けられる全ての負荷のうち、共用重要負荷４３２のみに電力が供給される。すなわち、停電時に電力を供給する負荷を制限することによって、停電時であっても電力の供給を継続する必要性が比較的大きい共用重要負荷４３２に対して、電力が供給されなくなる不都合をできるだけ回避することができる。
【０１７６】
また、自立運転による第一のパワコン３３からの電力の出力が開始された後、何らかの原因によって第一のパワコン３３からの電力の出力が停止した場合には、上述の如く自立運転によって第一のパワコン３３からの電力の出力が再び開始された場合であっても、当該第一のパワコン３３から出力された電力は第三のスイッチ６０（配電線Ｌ１）を流通しないこととなる（第一実施形態に係る電力供給システム１の図６参照）。
【０１７７】
このような場合、図１６に示すように、自立運転により第一のパワコン３３から出力された電力は、第三のスイッチ６０（配電線Ｌ１）を流通しないが、配電線Ｌ１１へと流れて、共用重要負荷４３２に供給される。すなわち、第三のスイッチ６０のオフを継続させることにより第二のパワコン８３、第三のパワコン９３及び第四のパワコン１０３が煩雑な動作となるのを防止しつつ、停電時であっても電力の供給を継続する必要性が比較的大きい共用重要負荷４３２に対して、電力を供給することができる。
【０１７８】
また、停電時においては、第二のパワコン８３、第三のパワコン９３及び第四のパワコン１０３の擬似連系運転が開始された後、例えば負荷２の消費電力が瞬間的に小さくなった場合等に、当該擬似連系運転により第二のパワコン８３、第三のパワコン９３及び第四のパワコン１０３から出力された電力が、配電線Ｌ１を商用電源３側へ向けて逆潮流することがある（図１７参照）。このように、擬似連系運転により第二のパワコン８３、第三のパワコン９３及び第四のパワコン１０３から出力された電力が逆潮流すると、自立運転による第一のパワコン３３から出力が停止したり、トランス４０に不具合が生じるたりする可能性がある。
【０１７９】
しかしながら、図１７に示すように、停電時である場合、第五のスイッチ４２１は、オン条件を満たしてオンとなり、電力の流通が許可されているため、逆潮流した電力は配電線Ｌ１０を介して抵抗負荷４１１・４１２に供給されることとなる。すなわち、第二のパワコン８３、第三のパワコン９３及び第四のパワコン１０３から出力された電力が逆潮流した場合であっても、自立運転による第一のパワコン３３から出力が停止したり、トランス４０に不具合が生じるたりするのを防止することができる。
【０１８０】
以上のように、第一実施形態に係る電力供給システム１は、
商用電源３からの電力を負荷２へ供給可能な分電盤１０と、
自然エネルギーを利用して発電可能な第一の太陽光発電装置３１、前記第一の太陽光発電装置３１及び前記商用電源３からの電力を充放電可能な第一の蓄電装置３２、及び前記第一の蓄電装置３２の充放電を制御する第一のパワコン３３を含み、前記商用電源３と連系して前記分電盤１０へ電力を供給する連系運転と、前記商用電源３から独立して前記分電盤１０へ電力を供給する自立運転と、を行うことができる第一のユニット３０と、
前記負荷２へと供給される電力の供給元を、前記商用電源３又は前記第一のユニット３０に切り替える第一の切替盤５０と、
前記自立運転時に前記第一のユニット３０から前記分電盤１０に供給された電力の電圧を昇圧するトランス４０と、
前記商用電源３からの電力を充放電可能な第二・第三・第四の蓄電装置８２・９２・１０２、及び前記第二・第三・第四の蓄電装置８２・９２・１０２の充放電を制御する第二・第三・第四のパワコン８３・９３・１０３を含み、前記第一の切替盤５０よりも前記負荷２側に配置されて前記分電盤１０へ電力を供給する第二・第三・第四のユニット８０・９０・１００と、
前記商用電源３の停電を検知可能な第一のパワコン３３（停電検知部）と、
前記第一の切替盤５０と前記第二・第三・第四のユニット８０・９０・１００との間に配置され、前記第一の切替盤５０と前記第二・第三・第四のユニット８０・９０・１００との間の電力の流通を許可する閉状態と、前記第一の切替盤５０と前記第二・第三・第四のユニット８０・９０・１００との間の電力の流通を禁止する開状態とを切り替える第三・第四のスイッチ６０・７０（第一の開閉部）と、
前記第一のパワコン３３（停電検知部）により停電が検知されると共に、所定の条件を満たした場合に、前記第三・第四のスイッチ６０・７０（第一の開閉部）を開状態に切り替える第一のパワコン３３（制御部）と、
を具備するものである。
【０１８１】
このような構成により、停電時にトランス４０を介して流通させた電力を下流側（負荷２側）の第二・第三・第四のユニット８０・９０・１００の第二・第三・第四の蓄電装置８２・９２・１０２が充電してしまうのを防止することができる。
【０１８２】
また、第一実施形態に係る電力供給システム１において、
前記第二・第三・第四のユニット８０・９０・１００の前記第二・第三・第四の蓄電装置８２・９２・１０２は、所定の充電時間帯（充電期間内）に充電を行い得るように設定され、
前記第一のパワコン３３（制御部）は、
前記第一のパワコン３３（停電検知部）により停電が検知されると共に、前記所定の条件を満たした場合として前記所定の充電時間帯（充電期間内）である場合に、前記第三・第四のスイッチ６０・７０のうち第四のスイッチ７０（第一の開閉部）を開状態に切り替えるものである。
【０１８３】
このような構成により、期間に応じた簡易な制御によって、停電時にトランス４０を介して流通させた電力を下流側（負荷２側）の第二・第三・第四のユニット８０・９０・１００の第二・第三・第四の蓄電装置８２・９２・１０２が充電してしまうのを防止することができる。
【０１８４】
また、第一実施形態に係る電力供給システム１において、
前記第一のパワコン３３（制御部）は、
前記第一のパワコン３３（停電検知部）により停電が検知されると共に、前記所定の条件を満たした場合として前記自立運転時に前記第一のユニット３０から前記トランス４０を介した前記分電盤１０への電力の供給が停止された場合に、前記第三・第四のスイッチ６０・７０のうち第三のスイッチ６０（第一の開閉部）を開状態に切り替えて、当該開状態を停電が解消されるまで維持するものである。
【０１８５】
このような構成により、停電時にトランス４０を介して流通させた電力を下流側（負荷２側）の第二・第三・第四のユニット８０・９０・１００の第二・第三・第四の蓄電装置８２・９２・１０２が充電してしまうのを防止すると共に、第二・第三・第四のユニット８０・９０・１００が煩雑な動作を行うのを防止することができる。
【０１８６】
また、第二実施形態に係る電力供給システム２００において、
前記負荷２（負荷１２１）は、電力の供給を維持する必要性の大小に応じて設定された一般負荷１２１ａ・第一の重要負荷１２１ｂ・第二の重要負荷１２１ｃ（複数の特定負荷）を含み、
電力の供給先を一般負荷１２１ａ・第一の重要負荷１２１ｂ・第二の重要負荷１２１ｃ（複数の特定負荷）の何れかに切り替える第二の切替盤１１１をさらに具備し、
前記第二のユニット８０は、前記商用電源３又は前記第一のユニット３０と連系して前記分電盤１０へ電力を供給する連系運転（通常連系運転及び擬似連系運転）と、前記商用電源３及び前記第一のユニット３０から独立して前記分電盤１０へ電力を供給する自立運転と、を行うことができ、
前記第一のパワコン３３（制御部）は、
前記第二のユニット８０の運転状態に応じて、前記第二のユニット８０からの電力の供給先を前記第二の切替盤１１１によって前記一般負荷１２１ａ・第一の重要負荷１２１ｂ・第二の重要負荷１２１ｃ（複数の特定負荷）の何れかに切り替えるものである。
【０１８７】
このような構成により、第二のユニット８０の運転状況に応じて、電力の供給先として、電力の供給を維持する必要性の大小に応じて設定された何れかの一般負荷１２１ａ・第一の重要負荷１２１ｂ・第二の重要負荷１２１ｃを選択することができる。
【０１８８】
また、第三実施形態に係る電力供給システム３００において、
前記第二・第三・第四のユニット８０・９０・１００は、自然エネルギーを利用して発電可能な第二・第三・第四の太陽光発電装置８１・９１・１０１、前記第二・第三・第四の太陽光発電装置８１・９１・１０１で発電された電力の出力を禁止する開状態と前記第二・第三・第四の太陽光発電装置８１・９１・１０１で発電された電力の出力を許可する閉状態とを切り替える第二・第三・第四のユニット切替盤８４・９４・１０４をさらに具備し、
前記第一のパワコン３３（制御部）は、
前記第一のパワコン３３（停電検知部）により停電が検知されると、前記第二・第三・第四のユニット切替盤８４・９４・１０４を開状態に切り替えるものである。
【０１８９】
このような構成により、停電時に第二・第三・第四の太陽光発電装置８１・９１・１０１で発電された電力が商用電源３側へと逆潮流するの防止することができる。
【０１９０】
また、第四実施形態に係る電力供給システム４００において、
前記第三・第四のスイッチ６０・７０（第一の開閉部）と前記第二・第三・第四のユニット８０・９０・１００との間に第五のスイッチ４２１を介して接続される抵抗負荷４１１・４１２をさらに具備し、
前記第五のスイッチ４２１は、前記第二・第三・第四のユニット８０・９０・１００から前記抵抗負荷４１１・４１２への電力の流通を許可する閉状態と前記第二・第三・第四のユニット８０・９０・１００から前記抵抗負荷４１１・４１２への電力の流通を禁止する開状態とを切り替え可能に構成され、
前記第一のパワコン３３（制御部）は、
前記第一のパワコン３３（停電検知部）により停電が検知されると、前記第五のスイッチ４２１を閉状態に切り替えるものである。
【０１９１】
このような構成により、停電時に第二・第三・第四のユニット８０・９０・１００から出力された電力が商用電源３側へと逆潮流した場合であっても、当該逆潮流した電力が第一のユニット３０へと供給されるのを防止することができる。
【０１９２】
なお、本実施形態に係る第一のユニット３０は、本発明に係る第一のユニットの一実施形態である。
また、本実施形態に係る第二・第三・第四のユニット８０・９０・１００は、本発明に係る第二のユニットの一実施形態である。
また、本実施形態に係る第二・第三・第四の蓄電装置８２・９２・１０２は、本発明に係る第二の蓄電装置の一実施形態である。
また、本実施形態に係る第二・第三・第四の太陽光発電装置８１・９１・１０１は、本発明に係る第二の発電装置の一実施形態である。
また、本実施形態に係る第三・第四のスイッチ６０・７０は、本発明に係る第一の開閉部の一実施形態である。
また、本実施形態に係る第二・第三・第四のユニット切替盤８４・９４・１０４は、本発明に係る第二の開閉部の一実施形態である。
また、本実施形態に係る第五のスイッチ４２１は、本発明に係る第三の開閉部の一実施形態である。
【０１９３】
以上、本発明の第一実施形態を説明したが、本発明は上記構成に限定されるものではなく、特許請求の範囲に記載された発明の範囲内で種々の変更が可能である。
【０１９４】
例えば、電力供給システム１・２００・３００・４００の適用対象は、本実施形態のように、工場に限定されるものでない。すなわち、電力供給システム１・２００・３００・４００は、工場以外の場所にも適用可能である。具体的には、事業所や集合住宅等に適用することができる。
【０１９５】
また、本実施形態に係る第一・第二・第三・第四の太陽光発電装置３１・８１・９１・１０１は、自然エネルギーとして太陽光を利用するものとしたが、水力、風力、潮力等を利用してもよい。
【０１９６】
また、本実施形態に係る第一の切替盤５０や第二の切替盤１１０等は、第一のユニット３０の第一のパワコン３３によって制御されたが、他の制御部（機器）によって制御されてもよい。
【０１９７】
また、本実施形態に係る第二・第三・第四のユニット８０・９０・１００（すなわち、最も上流側（商用電源３側）に配置された第一のユニット３０以外のユニット）は、３つである必要はなく、２つであったり、４つ以上であってもよい。
【符号の説明】
【０１９８】
１      電力供給システム
２      負荷
３      商用電源
１０    分電盤
３０    第一のユニット
３１    第一の太陽光発電装置
３２    第一の蓄電装置
３３    第一のパワコン
４０    トランス
５０    第一の切替盤
６０    第三のスイッチ
７０    第四のスイッチ
８０    第二のユニット
８２    第二の蓄電装置
８３    第二のパワコン
９０    第三のユニット
９２    第三の蓄電装置
９３    第三のパワコン
１００  第四のユニット
１０２  第四の蓄電装置
１０３  第四のパワコン
【図１】
2020074682.tif 000003
【図２】
2020074682.tif 000004
【図３】
2020074682.tif 000005
【図４】
2020074682.tif 000006
【図５】
2020074682.tif 000007
【図６】
2020074682.tif 000008
【図７】
2020074682.tif 000009
【図８】
2020074682.tif 000010
【図９】
2020074682.tif 000011
【図１０】
2020074682.tif 000012
【図１１】
2020074682.tif 000013
【図１２】
2020074682.tif 000014
【図１３】
2020074682.tif 000015
【図１４】
2020074682.tif 000016
【図１５】
2020074682.tif 000017
【図１６】
2020074682.tif 000018
【図１７】
2020074682.tif 000019